(57)【要約】  走行情報に基づき定められた走行経路（２００）を走行する走行車（１０１）を備える走行車システムであって、走行経路（２００）の近傍に標識体（１０２）を配置し、走行車は、標識体（１０２）が備える変更情報を取得する情報取得装置（１１１）と、標識体（１０２）から取得した変更情報に基づき走行情報を変更する変更部（１１２）とを備え、変更部（１１２）により変更された新たな走行情報に基づき走行車（１０１）を走行させる走行車システム。
2016103562.tif 000002
【特許請求の範囲】
【請求項１】
走行情報に基づき定められた走行経路を走行する走行車を備える走行車システムであって、
前記走行車の前記走行経路の近傍に、自在に配置可能な標識体を備え、
前記走行車は、
前記走行経路の近傍に配置された前記標識体が備える変更情報を取得する情報取得装置と、
前記標識体から取得した変更情報に基づき前記走行情報を変更する変更部とを備え、
前記変更部により変更された新たな走行情報に基づき走行する走行車システム。
【請求項２】
前記標識体は、
前記標識体が備える変更情報に対応し、人が視認することができる視認マークが表示される請求項１に記載の走行車システム。
【請求項３】
前記情報取得装置は、
前記視認マークを光学的に読み取って変更情報を取得する請求項２に記載の走行車システム。
【請求項４】
前記走行車は、
走行経路上、および、その近傍に存在する障害物を検出する障害物検出器を備え、
前記標識体は、
走行経路近傍に配置された際に前記障害物検出器に検出される反応部を備え、
前記情報取得装置は、前記障害物検出器が前記反応部を検出したことを含む検出情報に基づき前記標識体から変更情報を取得する請求項１〜３のいずれか一項に記載の走行車システム。
【請求項５】
前記走行車は、
前記障害物検出器が前記反応部を検出したことを含む検出情報に基づき減速、または、停止し、
前記情報取得装置は、前記走行車が減速、または、停止してから変更情報を取得し、
変更情報を取得した場合、障害物としての検出を解除して走行を再開する請求項４に記載の走行車システム。
【請求項６】
走行情報に基づき定められた走行経路を走行する走行車を備える走行車システムであって、
前記走行車は、
前記走行経路の近傍に自在に配置可能な前記標識体が備える変更情報を取得する情報取得装置と、
前記標識体から取得した変更情報に基づき前記走行情報を変更する変更部とを備え、
前記変更部により変更された新たな走行情報に基づき走行する走行車システム。
【請求項７】
走行情報に基づき定められた走行経路を走行する走行車を備える走行車システムにおいて、前記走行情報を変更する走行状態の変更方法であって、
変更情報を備え、自在に配置可能な標識体を前記走行車の前記走行経路の近傍に配置し、
前記走行経路の近傍に配置された前記標識体が備える変更情報を情報取得装置により取得し、
前記標識体から取得した変更情報に基づき前記走行情報を変更部が変更し、
前記変更部により変更された新たな走行情報に基づき前記走行車を走行させる走行状態変更方法。
【発明の詳細な説明】
【技術分野】
【０００１】
本願発明は、予め定められた走行経路を自動的に走行する走行車を備えた走行車システムに関する。
【背景技術】
【０００２】
近年、倉庫や工場において物品を搬送することのできる走行車を自動的に走行させ、効率的に物品の搬送を行う走行車システムが存在している。【０００３】
このような走行車システムにおいては、走行車が走行することができる領域のマップやマップ上のどの通路を走行するかを定めた走行経路を予め走行車に記憶させておき、走行車は記憶している情報と現在位置や現在の走行状態とに基づき自らの判断で走行を制御している（例えば、特許文献１参照）。
【先行技術文献】
【特許文献】
【０００４】
【特許文献１】特開２０１２−１０８７１５号公報
【発明の概要】
【発明が解決しようとする課題】
【０００５】
ところが、倉庫や工場などの走行車が自動的に走行する領域においては、倉庫内に発生した予期せぬ落下物の処理や、工場内に設置されている産業機械のメンテナンスなど予定外の処理を行うことがある。【０００６】
この場合、走行車は予定している走行経路を走行することができないため、作業者は走行車に新しい走行経路を示す情報を再入力する必要がある。このような走行車の走行経路の書き換え作業はある程度の専門的な知識が必要であり、また、その作業に時間を要するものである。【０００７】
本願発明は、上記課題に鑑みなされたものであり、専門的な知識を要することなく簡便に予め定められた走行経路を変更することができる走行車システムおよび走行状態変更方法の提供を目的とする。
【課題を解決するための手段】
【０００８】
上記目的を達成するために、本願発明にかかる走行車システムは、走行情報に基づき定められた走行経路を走行する走行車を備える走行車システムであって、前記走行車の前記走行経路の近傍に、自在に配置可能な標識体を備え、前記走行車は、前記走行経路の近傍に配置された前記標識体が備える変更情報を取得する情報取得装置と、前記標識体から取得した変更情報に基づき前記走行情報を変更する変更部とを備え、前記変更部により変更された新たな走行情報に基づき走行することを特徴とする。【０００９】
これによれば、作業者が走行経路の近傍に標識体を配置するだけで、専門的な知識が無い作業者であっても走行車の走行経路などを簡便に変更することができる。【００１０】
また、前記標識体は、前記標識体が備える変更情報に対応し、人が視認することができる視認マークが表示されるものでもよい。【００１１】
これによれば、作業者が間違えることなく確実に走行車の走行経路を変更することができる。また、予定外の走行情報で走行車が走行することを作業者に報知することができ、作業者は安心して作業を実施することができる。【００１２】
また、前記情報取得装置は、前記視認マークを光学的に読み取って変更情報を取得するものでもかまわない。【００１３】
これによれば、標識体が備える変更情報と当該標識体を見た人が認識する変更情報とを簡単に適合させることができ、標識体の製造を容易にすることができる。【００１４】
また、前記走行車は、走行経路上、および、その近傍に存在する障害物を検出する障害物検出器を備え、前記標識体は、走行経路近傍に配置された際に前記障害物検出器に検出される反応部を備え、前記情報取得装置は、前記障害物検出器が前記反応部を検出したことを含む検出情報に基づき前記標識体から変更情報を取得してもよい。【００１５】
これによれば、情報取得装置を常に稼働させておく必要がなくなり、走行車のエネルギー消費を低減することができる。【００１６】
また、前記走行車は、前記障害物検出器が前記反応部を検出したことを含む検出情報に基づき減速、または、停止し、前記情報取得装置は、前記走行車が減速、または、停止してから変更情報を取得してもよい。【００１７】
これによれば、情報取得装置が変更情報を取得する確率を向上させることができ、走行車が標識体に反して予期せぬ走行をする状態の発生を未然に防止することができる。【００１８】
また、上記目的を達成するために、本願発明にかかる走行状態変更方法は、走行情報に基づき定められた走行経路を走行する走行車を備える走行車システムにおいて、前記走行情報を変更する走行状態の変更方法であって、変更情報を備え、自在に配置可能な標識体を前記走行車の前記走行経路の近傍に配置し、前記走行経路の近傍に配置された前記標識体が備える変更情報を情報取得装置により取得し、前記標識体から取得した変更情報に基づき前記走行情報を変更部が変更し、前記変更部により変更された新たな走行情報に基づき前記走行車を走行させることを特徴とする。【００１９】
これによれば、作業者が走行経路の近傍に標識体を配置するだけで、専門的な知識が無い作業者であっても走行車の走行経路などを簡便に変更することができる。【００２０】
なお、前記走行状態変更方法が含む各処理をコンピュータに実行させるためのプログラムを実施することも本願発明の実施に該当する。無論、そのプログラムが記録された記録媒体を実施することも本願発明の実施に該当する。
【発明の効果】
【００２１】
本願発明によれば、簡単な方法で走行車の走行状態を変更することが可能となる。
【図面の簡単な説明】
【００２２】
【図１】図１は、走行車システムを上方から示す平面図である。
【図２】図２は、標識体と標識体の近傍を走行する走行車を示す斜視図である。
【図３】図３は、標識体を示す斜視図である。
【図４】図４は、走行車が備える機能部を機構部と共に示すブロック図である。
【図５】図５は、視認マークの例を示す図である。
【図６】図６は、予定されている走行経路を矢印で示す平面図である。
【図７】図７は、変更後の新たな走行経路を示す図である。
【図８】図８は、変更後の走行状態を示す図である。
【図９】図９は、標識体の他の実施の形態を示す斜視図である。
【図１０】図１０は、標識体の他の実施の形態を示す斜視図である。
【発明を実施するための形態】
【００２３】
次に、本願発明に係る走行車システム、走行状態変更方法の実施の形態について、図面を参照しつつ説明する。なお、以下の実施の形態は、本願発明に係る走行車システム、走行状態変更方法の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２４】
また、図面は、本願発明を示すために適宜強調や省略、比率の調整を行った模式的な図となっており、実際の形状や位置関係、比率とは異なる場合がある。
【００２５】
図１は、走行車システムを上方から示す平面図である。
【００２６】
同図に示すように、走行車システム１００は、走行経路２００を自動的（自律的）に走行する走行車１０１を備えるシステムであって、標識体１０２を備えている。
【００２７】
図２は、標識体と標識体の近傍を走行する走行車を示す斜視図である。
【００２８】
図３は、標識体を示す斜視図である。
【００２９】
標識体１０２は、走行車１０１の走行経路２００の近傍に、自在に配置可能な部材であり、走行車１０１が保持している走行情報を変更させるための変更情報を担持している部材である。
【００３０】
ここで、自在に配置可能な部材とは、例えば人力により運ぶことができる程度の大きさ、および、重さであって、必要に応じて走行経路２００の近傍に、人力によって標識体１０２を配置することができる程度の部材である。
【００３１】
また、走行経路２００とは、実際に視認できる経路が存在する場合ばかりでなく、走行情報に基づきマップなどの上に仮想的に形成される経路であってもかまわない。
【００３２】
本実施の形態の場合、標識体１０２は、床面などの上に立設状態で配置することができる部材であり、掲示部材１２２と、支柱１２３と、基台１２４とを一体として持ち運び可能に備えている。
【００３３】
また、変更情報とは、走行車１０１が保持している走行情報を変更させるための識別符号としての役割を有していればよい。つまり、変更情報は、走行情報を変更するための具体的な情報を含んでいてもよく、また、変更情報は、走行車１０１のコントローラなどに記憶されている変更するための複数種類の情報を識別する情報を含んでいてもよい。
【００３４】
掲示部材１２２は、人が視認することができる視認マーク１２１を掲示することができる部材である。掲示部材１２２の形状は特に限定されるものではないが、本実施の形態の場合は、薄い板状の部材であり、一面に視認マーク１２１が掲示されたものとなっている。また、標識体１０２は、掲示部材１２２を複数（本実施の形態では２枚）備えており、視認マーク１２１が掲示されていない掲示部材１２２の裏側を内方に向くように配置することで広い範囲から視認マーク１２１が視認できる状態となっている。
【００３５】
掲示部材１２２に掲示される視認マーク１２１は、標識体１０２が備える変更情報に対応し、視認マーク１２１を作業者などが視認した場合、当該視認マーク１２１が掲示された標識体１０２が走行車１０１の走行情報をどのように変更させるかを認識することができるものとなっている。つまり、視認マーク１２１は、変更情報の種類と同数以上の種類からなる個別のマークであり、変更情報と同内容を表すマークである。具体的には、図３に示す視認マーク１２１は、人が右折禁止を認識できるマークであり、当該視認マーク１２１が掲示された標識体１０２は、右折をしようとしている走行車１０１の情報を右折以外の情報に変更させるものとなっている。
【００３６】
また本実施の形態の場合、当該視認マーク１２１自体が変更情報として機能しているため（詳細は後述する）、標識体１０２は、変更情報を担持する部材や装置を別途備えていない。
【００３７】
なお、標識体１０２は、変更情報を担持する部材としてバーコードなどの情報担持部材や、ＲＦタグのような情報担持装置などを別途備えていてもかまわない。この場合、担持された情報と視認マーク１２１とが対応（例えば１対１に対応）するように視認マーク１２１のデザインを決定すればよい。つまり、標識体１０２に担持される情報と、視認マーク１２１とを関連づけ、担持された情報に基づく走行車１０１の挙動と、視認マーク１２１を視認した作業者の認識が一致するものとしてもよい。
【００３８】
支柱１２３は、視認マーク１２１を立っている人が容易に認識できるように掲示部材１２２を人の目の高さ程度に維持し、掲示部材１２２が走行車１０１の走行の妨げにならない位置に維持するための構造部材である。なお、支柱１２３は、標識体１０２の必須の部材ではなく、例えば、掲示部材１２２が床面まで延びる細長い部材であれば、特に支柱１２３は無くてもかまわない。
【００３９】
基台１２４は、床面などに載置されて掲示部材１２２を所定の位置に維持するための構造部材である。基台１２４は、掲示部材１２２の位置を安定させるためにはある程度の重量が必要であるが、標識体１０２の可搬性も満たす重量となっている。
【００４０】
また本実施の形態の場合、標識体１０２は、反応部１２５を備えている。反応部１２５は、走行経路２００の近傍に配置された標識体１０２が、走行車１０１が備える障害物検出器１１３（後述）に検出されるために取り付けられる部材である。反応部１２５は、障害物検出器１１３に検出される位置に配置されるが走行車１０１や走行車１０１が保持している荷物などとは干渉しない位置に配置されている。本実施の形態の場合は、基台１２４と掲示部材１２２との間に標識体１０２の支柱１２３から走行経路２００に向かって突出状に配置されている。
【００４１】
また、反応部１２５は、荷物や人などの実際の障害物とは識別可能な性状であることが好ましい。例えば、障害物検出器１１３が光の反射を利用して障害物を検出する装置である場合、反応部１２５は、光の反射率の高い鏡などの反射部材で構成されてもよい。この場合、反応部１２５で反射された光は通常の障害物から反射した光とは障害物検出器１１３が検出する強度が明らかに異なり、反応部１２５であることを識別することができるため好ましい。
【００４２】
なお、標識体１０２は反応部１２５を別途備えることなく、掲示部材１２２や基台１２４の一部を反応部１２５として機能させてもかまわない。
【００４３】
図４は、走行車が備える機能部を機構部と共に示すブロック図である。
【００４４】
同図や図２に示すように、走行車１０１は、予め定められた走行情報に基づき定められた走行経路を走行する車である。本実施の形態の場合、走行車１０１は、荷物を搬送することができる搬送車であり、産業機械やステーションなどの他の設備との間で荷物を移載することのできる移載装置（図示せず）を備えている。また、走行車１０１は、レールに沿って移動するものではなく、自律的に位置を認識しながら情報として予め仮想的に定められた走行経路を移動することができるものとなっている。
【００４５】
ここで、走行情報とは、走行車１０１が走行可能な領域を示すマップ情報や、走行車１０１がマップ情報に基づき自らが探索し、予め定めた目的地までの走行経路や、入力された走行経路、走行時の速度の情報や、スイッチバックするか否かなどの走行状態を示す情報、目的地の情報などを含むものである。
【００４６】
走行車１０１は、情報取得装置１１１と、変更部１１２とを備えている。また、本実施の形態の場合、走行車１０１は、障害物検出器１１３と走行情報などを記憶する記憶部１１４と、走行情報に基づき走行車１０１の走行を制御する走行制御部１１５とを備えている。
【００４７】
情報取得装置１１１は、走行経路の近傍に配置された標識体１０２が備える変更情報を取得する装置である。情報取得装置１１１は、変更情報を取得できるものであれば特に制限されるものではない。本実施の形態の場合、標識体１０２の掲示部材１２２に掲示された視認マーク１２１そのものが変更情報であるため、情報取得装置１１１は、視認マーク１２１を画像解析などにより識別することができる装置であればよい。当該情報取得装置１１１としては、視認マーク１２１を光学的に読み取ってデジタル画像を取得することができるカメラと、得られたデジタル画像を解析して視認マーク１２１の形状を特定することができる画像解析プログラムとを備えて変更情報を取得する装置を例示することができる。
【００４８】
本実施の形態の場合、走行車１０１は、走行車１０１の進行方向に向かって左右の両方に情報取得装置１１１を備えている。走行経路２００のいずれの側に標識体１０２が配置された場合でも変更情報を取得できるようにするためである。
【００４９】
なお、情報取得装置１１１は、標識体１０２が備える変更情報の担持部材や担持装置に対応する装置であればよく、例えば、変更情報がバーコードで表されている場合は、情報取得装置１１１は、バーコードリーダーであり、変更情報がＲＦタグに書き込まれている場合は、情報取得装置１１１はＲＦタグリーダーとなる。
【００５０】
変更部１１２は、標識体１０２から情報取得装置１１１が取得した変更情報に基づき走行車１０１が基づいて走行していた走行情報を新たな走行情報に変更する処理部である。
【００５１】
具体的に例えば、変更部１１２は、情報取得装置１１１が取得した変更情報が「右折禁止」であれば、予め定められた走行情報において次の分岐点で右折するか否かを確認し、右折するものであれば、先の走行情報を記憶部１１４から読み出して目的地を抽出し、変更情報を取得した直後の分かれ道（分岐点）において右折せずに目的地にたどり着く走行経路を探索し直し、新しい走行情報に変更してもかまわない。また、予め複数の走行情報を記憶部１１４に記憶させておき、変更情報を取得した際に、複数の走行情報から変更情報を加味した最適な走行情報に変更してもかまわない。以上により標識体１０２より先の走行車１０１の走行状態を変更することが可能となる。
【００５２】
また、変更部１１２は、変更した新たな走行情報に基づき走行制御部１１５を制御して走行車１０１を走行させる。
【００５３】
なお、変更情報は、右左折禁止ばかりでなく、走行車１０１のスピードをダウン（例えば５０％）させる情報や、スイッチバックを禁止する情報、または、これらの制限を解除して元の走行情報に変更する情報や、標識体１０２に基づき変更した走行情報の全てを解除して元の走行情報に変更する情報等でもかまわない。なお明細書、および、請求の範囲において、走行状態の文言は、走行車１０１の走行スピードばかりでなく走行経路も含む意味で用いている。
【００５４】
この場合例えば、次の分岐点での直進を禁止する変更情報に対応する視認マーク１２１は、図５の（ａ）のようにし、次の分岐点での右折を禁止する変更情報に対応する視認マーク１２１は、図５の（ｂ）のようにし、次の分岐点での左折を禁止する変更情報に対応する視認マーク１２１は、図５の（ｃ）のようにし、走行車１０１のスピードを５０％ダウンさせる変更情報に対応する視認マーク１２１は、図５の（ｄ）のようにし、走行車１０１のスピードを３０％ダウンさせる変更情報に対応する視認マーク１２１は、図５の（ｅ）のようにし、スピードダウンを解除する変更情報に対応する視認マーク１２１は、図５の（ｆ）のようにし、スイッチバックを禁止する変更情報に対応する視認マーク１２１は、図５の（ｇ）のようにし、スイッチバック禁止を解除する変更情報に対応する視認マーク１２１は、図５の（ｈ）のようにし、全ての変更情報を解除する変更情報に対応する視認マーク１２１は、図５の（ｉ）のようにすればよい。
【００５５】
障害物検出器１１３は、走行経路２００上、および、その近傍に存在する障害物を検出する装置である。障害物検出器１１３は、一般的に自律的に走行する走行車１０１に取り付けられることが多い装置であり、走行車１０１は、障害物検出器１１３により走行車１０１の周囲の状況を確認しながら走行することで安全を確保する。
【００５６】
走行車１０１は、当該障害物検出器１１３を用い、障害物検出器１１３が何らかの障害物を検出したこと示す検出情報をトリガーとして情報取得装置１１１を稼働させ、標識体１０２から変更情報を取得するものとしている。
【００５７】
さらに、障害物検出器１１３が走行経路２００の近傍に障害物として標識体１０２を検出した場合に、情報取得装置１１１を稼働させてもかまわない。さらに、本実施の形態の場合のように、標識体１０２に障害物検出器１１３に検出される特殊な性状の反応部１２５を設けることで、障害物検出器１１３が反応部１２５を検出した場合のみ情報取得装置１１１を稼働させて、標識体１０２から変更情報を取得するものとしてもかまわない。
【００５８】
これによれば、情報取得装置１１１を常に稼働させておく必要がなくなり、走行車１０１の省エネルギー化を図ることが可能となる。
【００５９】
さらに、障害物検出器１１３が反応部１２５を検出したことを示す検出情報をトリガーとして走行制御部１１５を制御し、走行車１０１を減速、または、停止させ、情報取得装置１１１は、走行車１０１が所定の速度以下に減速した後、または、停止した後に標識体１０２から変更情報を取得するものでもかまわない。
【００６０】
さらに、変更情報を取得した場合、障害物検出器１１３が検出した障害物が存在する旨の情報を解除して走行車１０１が走行を再開するものとしてもよい。
【００６１】
これによれば、変更情報の取得ミスを大幅に減少させることが可能となる。
【００６２】
次に、以上のような走行車システム１００を用いた走行状態の変更方法を説明する。
【００６３】
図６は、予定されている走行経路を矢印で示す平面図である。
【００６４】
同図に示すように、走行車１０１は、目的地２１０に到達するために最短の走行経路２００（図６中において破線で示す。）を予定していた。しかしながら、予定していた走行経路２００の近傍に配置されている装置２１１をメンテナンスする必要が生じたため、装置２１１の近傍にある走行経路２００を通行止めにする必要がある。この場合、作業者は、装置２１１側に走行車１０１が進入してくる分岐点２０１の手前の走行経路２００の近傍に右折禁止の変更情報を備えた標識体１０２を運んで床面上に載置する。
【００６５】
走行車１０１は、当該標識体１０２の存在を障害物検出器１１３により事前に把握し、標識体１０２から変更情報を取得する準備を始める。
【００６６】
走行車１０１は、標識体１０２の近傍において情報取得装置１１１により標識体１０２から変更情報を取得する。本実施の形態の場合は、障害物検出器１１３が反応部１２５を検出したことをトリガーとして情報取得装置１１１が稼働し、標識体１０２から変更情報を取得する。
【００６７】
次に、標識体１０２から取得した変更情報に基づき変更部１１２が経路の探索を行い、走行情報を変更する。具体的に例えば、情報取得装置１１１が取得した変更情報が右折禁止であった場合、予め定められた走行情報において次の分岐点が右折するか否かを変更部１１２が判断する。判断結果が右折する場合は、右折をせずに目的地へ到達する径路を探索し、走行情報を変更する。なお、経路の探索ばかりでなく、予め複数の経路を定めておき、その中から別の経路を選択するなど、任意の変更方法を採用しうる。
【００６８】
図７は、変更後の新たな走行経路２００を示す図である。
【００６９】
同図に示すように、走行車１０１は、変更部１１２により変更された新たな走行情報に基づき装置２１１のメンテナンスのために作業者が作業している領域を回避する新たな走行経路２００（図７中において破線で示す。）を走行する。
【００７０】
以上によれば、走行車１０１が有する走行情報を書き換えるような専門的な知識が無い作業者であっても、標識体１０２を走行経路２００の近傍に設置するだけで、安全な作業領域を確保することができる。また、標識体１０２を設置するだけで全ての走行車１０１の走行情報を変更することができるため、走行情報を書き換える手間を省略することが可能となる。
【００７１】
また、例えば図８に示すように所定の区間（図８中において太線で示す。）の始まりの部分にスピードダウンの変更情報を備えた標識体１０２を設置し、終わりの部分にスピードダウン解除の変更情報を備えた標識体１０２を設置することで、容易に所定区間のスピードなどの走行車１０１の走行状態を変更させることも可能である。具体的に例えば、５０％スピードダウンの変更情報を備えた標識体１０２が設置された場合、当該標識体１０２から変更情報を取得した走行車１０１は、予め定められていた走行速度の５０％で走行し、その後スピードダウン解除の変更情報を備えた標識体１０２が設置されている箇所まで当該スピードを維持し、当該標識体１０２から変更情報を取得することによりスピードダウンが解除されると走行車１０１は、予め定められた走行速度に戻る。
【００７２】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００７３】
例えば、図９に示すように、基台１２４を走行経路２００の近傍に固定しておき、掲示部材１２２等を基台１２４に対して着脱自在にしてもかまわない。
【００７４】
これによれば、掲示部材１２２や反応部１２５の走行経路２００に対する位置関係を常に一定にすることができ、標識体１０２と走行車１０１との接触を可及的に回避することが可能となる。特に走行経路２００が仮想的に定められている場合は、当該走行経路２００を人が視認することができないため、標識体１０２の設置場所を間違えて標識体１０２が走行経路２００内にはみ出すなどの間違いを防止できる。
【００７５】
なお、基台１２４と支柱１２３との間には回り止めが設けられており、掲示部材１２２の面が向く方向も定めることができるものとなっている。
【００７６】
また、頻繁に標識体１０２を設置する必要がある場所には、標識体１０２を倒すことができるように床面などに固定された基台１２４に回動可能に取り付けておき、必要な際には標識体１０２を起立させて配置するものとしてもよい。これによれば、標識体１０２を運ぶ必要がなくなり、作業者の作業性を向上させることが可能となる。
【産業上の利用可能性】
【００７７】
本願発明は、床面上などを経路に従って走行する走行車を備えた倉庫システムや工場システムなどに利用可能である。
【符号の説明】
【００７８】
１００  走行車システム
１０１  走行車
１０２  標識体
１１１  情報取得装置
１１２  変更部
１１３  障害物検出器
１１４  記憶部
１１５  走行制御部
１２１  視認マーク
１２２  掲示部材
１２３  支柱
１２４  基台
１２５  反応部
２００  走行経路
２０１  分岐点
２１０  目的地
２１１  装置
【図１】
2016103562.tif 000003
【図２】
2016103562.tif 000004
【図３】
2016103562.tif 000005
【図４】
2016103562.tif 000006
【図５】
2016103562.tif 000007
【図６】
2016103562.tif 000008
【図７】
2016103562.tif 000009
【図８】
2016103562.tif 000010
【図９】
2016103562.tif 000011
【図１０】
2016103562.tif 000012
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
走行情報に基づき定められた走行経路を自動的に走行する走行車を備える走行車システムであって、
前記走行車の前記走行経路の近傍に、自在に配置可能な標識体を備え、
前記走行車は、
前記走行経路の近傍に配置された前記標識体が備える変更情報を取得する情報取得装置と、
前記標識体から取得した変更情報に基づき予め定められた前記走行情報から新たな走行情報に変更する変更部とを備え、
前記変更部により変更された前記新たな走行情報に基づき走行する
走行車システム。
【請求項２】
前記走行情報を保持する記憶部をさらに備え、
前記変更部は、前記記憶部に保持された前記走行情報から新たな走行情報に変更する
請求項１に記載の走行車システム。
【請求項３】
前記走行情報には走行速度が含まれる
請求項１または２に記載の走行車システム。
【請求項４】
前記標識体は、
前記標識体が備える変更情報に対応し、人が視認することができる視認マークが表示される
請求項１〜３のいずれか一項に記載の走行車システム。
【請求項５】
前記情報取得装置は、
前記視認マークを光学的に読み取って変更情報を取得する
請求項４に記載の走行車システム。
【請求項６】
前記走行車は、
走行経路上、および、その近傍に存在する障害物を検出する障害物検出器を備え、
前記標識体は、
走行経路近傍に配置された際に前記障害物検出器に検出される反応部を備え、
前記情報取得装置は、前記障害物検出器が前記反応部を検出したことを含む検出情報に基づき前記標識体から変更情報を取得する
請求項１〜５のいずれか一項に記載の走行車システム。
【請求項７】
前記走行車は、
前記障害物検出器が前記反応部を検出したことを含む検出情報に基づき減速、または、停止し、
前記情報取得装置は、前記走行車が減速、または、停止してから変更情報を取得し、
変更情報を取得した場合、障害物としての検出を解除して走行を再開する
請求項６に記載の走行車システム。
【請求項８】
走行情報に基づき定められた走行経路を自動的に走行する走行車を備える走行車システムであって、
前記走行車は、
前記走行経路の近傍に自在に配置可能な標識体が備える変更情報を取得する情報取得装置と、
前記標識体から取得した変更情報に基づき予め定められた前記走行情報から新たな走行情報に変更する変更部とを備え、
前記変更部により変更された前記新たな走行情報に基づき走行する
走行車システム。
【請求項９】
走行情報に基づき定められた走行経路を自動的に走行する走行車を備える走行車システムにおいて、前記走行情報を変更する走行状態の変更方法であって、
変更情報を備え、自在に配置可能な標識体を前記走行車の前記走行経路の近傍に配置し、
前記走行経路の近傍に配置された前記標識体が備える変更情報を情報取得装置により取得し、
前記標識体から取得した変更情報に基づき予め定められた前記走行情報から新たな走行情報に変更部が変更し、
前記変更部により変更された前記新たな走行情報に基づき前記走行車を走行させる
走行状態変更方法。
【国際調査報告】
2016103562.tif 000013
2016103562.tif 000014